(57)【特許請求の範囲】
【請求項１】
浴槽設置部と洗い場部とが設けられている防水床パンを用いた浴室であって、
前記浴槽設置部上には、浴槽の底部に設けられた排水部と、この排水部に対向して前記浴槽設置部側に設けられた排水孔部とを密閉状態で接続することにより、前記浴槽の底部を下げて、前記洗い場部から前記浴槽へのまたぎ高さを小さくするように、前記浴槽を設置し、
かつ、水溜部の下部に形成され、主に前記浴槽の排水を流す排水路が前記排水孔部側から水平な状態で接続される入口部と、前記水溜部の上方に連通するように形成された出口部とを備えた排水トラップを、前記水溜部を形成するトラップ本体が前記洗い場部の上面に近接するように、この洗い場部に取り付け、
さらに、前記排水孔部と前記排水トラップとを、前記防水床パンの下方側で接続する前記排水路中に、前記浴槽設置部上の排水は通すが、この浴槽設置部側への排水の逆流は防止するとともに、前記浴槽設置部の前記洗い場部側寄りに配置される集水部を連通させ、
さらに、前記排水路及び前記排水トラップと浴室の建築基部との間に僅かな隙間をおくように前記防水床パンを配置して、前記洗い場部と前記浴室の建築基部間の上下距離を小さくしていることを特徴とする浴室。
【発明の詳細な説明】
【０００１】
【発明の属する技術分野】
この発明は、防水床パンの浴槽設置部上の排水と、この浴槽設置部上に設置される浴槽からの排水とが、防水床パンの洗い場部下方に設置される排水トラップまで導かれる浴室に関するものである。
【０００２】
【従来の技術】
浴室ユニットの防水床パンには、洗い場を形成する洗い場部の横に、浴槽を設置する浴槽設置部が形成されていて、浴槽と浴室内壁との間に施工されたコーキング材等に傷みが生じた場合でも、この浴槽設置部により、漏水が床下に流出するのが防止されている。この場合、浴槽からの排水を含めた防水床パンの浴槽設置部側の排水は、防水床パンの洗い場部下方に取り付けられた排水トラップに送られた後、洗い場部側の排水とともに外部に排出される。
【０００３】
図６はこのような防水床パン周りの浴室の排水路構造の一例（特開平３ー２６０２３０号公報）を示すものである。図において、防水床パンの浴槽設置部１００上には浴槽１１０が設置され、この浴槽設置部１００に隣接する防水床パンの洗い場部１０１には、排水口１０１ａ下方の下面側に、排水トラップ１２０が取り付けられている。そして、浴槽１１０の排水部１１０ａと浴槽設置部１００の排水孔部１００ａとは第１排水管１２１で接続され、浴槽設置部１００の排水孔部１００ａと排水トラップ１２０とは第２排水管１２２で接続されている。また、浴槽設置部１００の排水孔部１００ａには、浴槽設置部１００上の排水は通すが、第２排水管１２２内の排水の浴槽設置部１００側への逆流は防止する逆流防止装置１２３が取り付けられている。
【０００４】
このような排水路構造では、浴槽１１０内の排水を、第１排水管１２１、逆流防止装置１２３、第２排水管１２２を通って、排水トラップ１２０側に流した後、これを洗い場部１０１側の排水とともに、外部に排出するため、浴槽１１０内の排水を浴槽設置部１００上に直接流す場合に比べて、浴槽設置部１００側における臭気の発生が防止される。また、浴槽１１０と浴室内壁との間の隙間等から漏れ込んだ漏水は、浴槽設置部１００に受けられた後、排水部１００ａの逆流防止装置１２３を通って、第２排水管１２２から排水トラップ１２０側に排出される。
【０００５】
一方、第１および第２排水管１２１，１２２内が浴槽１１０側の排水で一杯になった場合には、この排水が排水部１００ａ側から浴槽設置部１００側に逆流する可能性があるが、この逆流は、逆流防止装置１２３により阻止される。
【０００６】
【発明が解決しようとする課題】
しかしながら、上記従来の浴室の排水路構造では、第１排水管１２１が浴槽１１０の下方に配置され、浴槽１１０と浴槽設置部１００間の隙間ｔが大きくなるため、洗い場部１０１側から浴槽１１０側へのまたぎ込み高さＨが大きくなってしまう。このため、このような排水路構造では、高齢者等にとって、浴室が入浴しずらいものになってしまうという問題があった。
【０００７】
一方、防水床パンの浴槽設置部１００と洗い場部１０１とに大きな段差を設け、またぎ込み高さＨを小さくすることも考えられるが、こうすると、浴室の設置面と建物の床面との間の距離が小さく抑えられるマンション等の場合に、脱衣室の床面と浴室の洗い場側（出入り口部）との段差が大きくなってしまう。したがって、この場合は、高齢者等にとって浴室が出入りしずらいものになってしまうという問題があった。
【０００８】
この発明は、以上の点に鑑み、入浴が容易で、出入りも容易であるとともに、防水床パンの浴槽設置部側からの臭気の発生を防止でき、かつ、浴槽設置部上の排水の処理も容易に行なうことができる浴室を提供することを目的とする。
【０００９】
【課題を解決するための手段】
この発明の請求項１記載の発明は、浴槽設置部と洗い場部とが設けられている防水床パンを用いた浴室であって、前記浴槽設置部上には、浴槽の底部に設けられた排水部と、この排水部に対向して前記浴槽設置部側に設けられた排水孔部とを密閉状態で接続することにより、前記浴槽の底部を下げて、前記洗い場部から前記浴槽へのまたぎ高さを小さくするように、前記浴槽を設置し、かつ、水溜部の下部に形成され、主に前記浴槽の排水を流す排水路が前記排水孔部側から水平な状態で接続される入口部と、前記水溜部の上方に連通するように形成された出口部とを備えた排水トラップを、前記水溜部を形成するトラップ本体が前記洗い場部の上面に近接するように、この洗い場部に取り付け、さらに、前記排水孔部と前記排水トラップとを、前記防水床パンの下方側で接続する前記排水路中に、前記浴槽設置部上の排水は通すが、この浴槽設置部側への排水の逆流は防止するとともに、前記浴槽設置部の前記洗い場部側寄りに配置される集水部を連通させ、さらに、前記排水路及び前記排水トラップと浴室の建築基部との間に僅かな隙間をおくように前記防水床パンを配置して、前記洗い場部と前記浴室の建築基部間の上下距離を小さくしていることである。
【００１０】
この発明では、浴槽の排水部と浴槽設置部の排水孔部とを直結状態で連結できるため、浴槽の下方に余分な排水配管を配置する必要がなく、その分、浴槽と防水床パンとの距離を小さくできる。このため、防水床パンの洗い場部側の浴室の出入口部と浴室に隣接する脱衣室の床面との段差を大きくしなくても、浴槽の上面と洗い場部の上面間の距離（またぎ高さ）を小さくできる。
【００１１】
また、この発明では、排水路及び排水トラップと浴室の建築基部との間に僅かな隙間をおくように防水床パンを配置して、洗い場部と浴室の建築基部間の上下距離を小さくしているので、浴室の設置面と建物の床面との間の距離が小さく抑えられるマンション等の場合において、浴室に対する出入りの容易化を達成できる。
【００１２】
さらに、この発明では、浴槽の周囲から防水床パンの浴槽設置部側に漏れた漏水を、集水部で集めた後、排水路から排水トラップ側に排出できるため、浴槽設置部上の排水の処理も容易になされる。この場合、集水部が、浴槽設置部の洗い場部側寄りに設けられるため、この集水部の清掃等を洗い場部側から容易に行なうことができる。もちろん、この発明では、浴槽中の排水が防水床パンの浴槽設置部上に流されることはないため、この排水によって浴槽設置部側に臭気が発生することはない。
【００１３】
【発明の実施の形態】
以下、この発明の実施の形態を図面を参照しつつ説明する。
図１はこの発明の一実施の形態に係る排水路構造を備えた浴室の下部側の断面図であり、図２はこの浴室の防水床パン周りの平面図である。
【００１４】
図２において、符号１は浴室設置空間の下部側一杯に設置されている、浴室Ｙ形成用の防水床パンである。この防水床パン１は、上方に突出する中央の土手部１０によって、左側の浴槽設置部１１と右側の洗い場部１２とに分けられているとともに、外周部に、浴室Ｙの内壁となる壁パネル（図示せず）が取り付けられる壁載せ部１３が形成されている。そして、この壁載せ部１３の脱衣室Ｄ側には、ドア枠Ｗ（図１参照）が取り付けられて、浴室Ｙの出入口部Ｙ１が形成されている。
【００１５】
図１において、符号２は防水床パン１の浴槽設置部１１上に設置される浴槽である。この浴槽２は、上部側の外縁部２０が、コーキング材を介して、前述の壁パネルと密着するように取り付けられていて、浴槽２周りの湯の防水床パン１側への漏れ込みが防止されている。浴槽２の底部には、湯を外部に排出する排水部としての排水ノズル２１が下方に突出するように形成されている。この排水ノズル２１は、上部側が排水栓２２によって閉じられているとともに、下部側にゴミ受け２３が取り付けられている。また、浴槽２の外縁部２０と防水床パン１の土手部１０との間には、エプロン部３が着脱容易に取り付けられ、このエプロン部３によって、浴槽２の側部等が外部から見えないようになっている。
【００１６】
防水床パン１の浴槽設置部１１には、図１で示されるように、土手部１０寄りに２つの開口が形成されており、浴槽２の排水ノズル２１に対向した位置に形成された開口周りは、排水ノズル２１が差し込まれる排水孔部４が取り付けられているとともに、土手部１０に寄った他方の開口周りには、浴槽設置部１１上の漏水を集める集水部５が取り付けられている。また、防水床パン１の洗い場部１２には、土手部１０側に、前述の浴槽設置部１１側の２つの開口と並ぶように、やや大きな開口が形成されており、この開口周りに、排水トラップ６が取り付けられている。そして、この防水床パン１の下方には、排水孔部４から排水トラップ６まで排水路７が設けられているとともに、この排水路７に集水部５が連通している。
【００１７】
排水孔部４は、図３で示されるように、ノズル本体４０と、締付リング４１と、リングパッキン４２と、筒状パッキン４３とから構成されている。ノズル本体４０は、浴槽設置部１１の開口内に、外つば４０ａが当接するまで差し込まれた後、下部の外ねじ部４０ｂに、リングパッキン４２を介して締付リング４１がねじ込まれることにより、防水床パン１に取り付けられている。そして、このノズル本体４０の上部側内方には、図１で示されるように、筒状パッキン４３を介して、浴槽２の排水ノズル２１が差し込まれていて、排水孔部４と排水ノズル２１とが密閉状態で接続されている。
【００１８】
集水部５は、図４で示されるように、集水部本体５０と、目皿５１と、フロート板５２と、締付リング５３と、リングパッキン５４と、排水管５５とから構成されている。集水部本体５０は、外方に延びる上部外縁５０ａが浴槽設置部１１の開口周りに当接するまで、この開口内に差し込まれた後、下部の外ねじ部５０ｂに、リングパッキン５４を介して締付リング５３がねじ込まれることにより、防水床パン１に取り付けられている。集水部本体５０には、上下に貫通する孔部の上端に、目皿５１を取り付けるためのリング溝５０ｃが形成され、このリング溝５０ｃの下方に、フロート板５２が上方に移動可能な状態で載置される段部５０ｄが形成されている。また、集水部本体５０には、下部に、排水路７に連結される排水管５５が取り付けられている。なお、集水部本体５０の段部５０ｄには、流入溝５０ｅが形成されている。
【００１９】
ここで、フロート板５２は、通常自重によって段部５０ｄ上に載置されるため、浴槽設置部１１上の排水（漏水）は、目皿５１の開口５１ａを通った後、フロート板５２横の流入溝５０ｅと排水管５５等とを通って、排水路７に流れ込む。一方、排水路７や排水管５５中が排水で満たされると、フロート板５２は、浮力によって目皿５１側に押し上げられ、目皿５１の開口５１ａを塞ぐ。このため、排水路７中の排水は、浴槽設置部１１側へ逆流することなく、排水路７中を排水トラップ６側に流れる。
【００２０】
排水トラップ６は、図５で示されるように、トラップ本体６０と、カバー部６１と、フランジ部６２と、内管部６３と、目皿６４と、Ｕパッキン６５とから構成されている。トラップ本体６０には、下部側中央に所定高さの水溜部６０ａが形成されているとともに、この水溜部６０ａの下部に連通するように、入口部６０ｂが形成され、かつ、水溜部６０ａの上方に連通するように出口部６０ｃが形成されている。そして、このトラップ本体６０上部には、中央の開口部周りに雌ねじ部６１ａが形成されたカバー部６１が取り付けられている。
【００２１】
フランジ部６２は、上端側の外縁部６２ａが、洗い場部１２の開口周りに取り付けられたＵパッキン６５上に載置された状態で、中央部が、カバー部６１の開口部を介してトラップ本体６０内に落とし込まれており、この中央部の下部側の開口周りに、トラップ本体６０の水溜部６０ａ内に差し込まれる内管部６３が支持されている。このフランジ部６２の中央部の外周面には、カバー部６１の雌ねじ部６１ａにねじ込まれる雄ねじ部６２ｂが形成されている。したがって、排水トラップ６は、フランジ部６２の雄ねじ部６２ｂをカバー部６１の雌ねじ部６１ａにねじ込むことにより、フランジ部６２とカバー部６１とでＵパッキン６５を加圧した状態で、防水床パン１の洗い場部１２側に取り付けられる。なお、多数の開口６４ａを有する目皿６４は、フランジ部６２の上部に、上面が外縁部６２ａの上面と面一となるように、載置されている。
【００２２】
排水路７は、排水孔部４から排水トラップ６側に向かって水平に形成されており、上下管７０、Ｌ管７１、水平管７２，７３およびＴ管７４とから構成されている。
【００２３】
なお、排水路７の下方には、図１で示されるように、僅かな隙間Ｌ１をおいて、浴室形成用の建築基部Ｋが配置されているとともに、脱衣室Ｄ側には、建築基部Ｋよりやや上方に、床面Ｄ１が形成されている。
【００２４】
つぎに、浴槽２の排水ノズル２１から、防水床パン１側の排水孔部４と、集水部５と、排水路７とによって、排水トラップ６まで形成される排水路構造の作用効果について説明する。
【００２５】
防水床パン１の洗い場部１２側で生じた入浴時の排水は、洗い場部１２の上面上を流れて、排水トラップ６の目皿６４から、内管部６３を通って、トラップ本体６０の水溜部６０ａ内に溜められた後、この水溜部６０ａをオーバーフローして、出口部６０ｃから排水トラップ６外に排出される。この場合、髪の毛等の異物は目皿６４によりキャッチされる。また、エプロン部３周りの隙間や、浴槽２と壁パネルとの間のコーキング材の劣化部や損傷部から、防水床パン１の浴槽設置部１１側に水が漏れ込んでも、この漏水は、浴槽設置部１１の上面上を流れて、集水部５の目皿５１から、フロート板５２の横を通って、排水路７側に流れた後、排水トラップ６側に排出される。
【００２６】
さらに、入浴終了後の浴槽２内の排水は、排水栓２２を開けることにより、排水ノズル２１から排水孔部４を通って、排水路７側に流れた後、排水トラップ６から外部に排出される。この場合、排水路７および集水部５内は排水で満たされるため、集水部５内の排水が防水床パン１の浴槽設置部１１側に逆流しようとするが、集水部５のフロート板５２が目皿５１の開口５１ａを塞ぐため、排水路７中の排水の逆流は生じない。
【００２７】
一方、この排水路構造では、図１で示されるように、防水床パン１側の排水孔部４が浴槽２の排水ノズル２１に対向する位置に設けられ、排水孔部４内に排水ノズル２１が直接差し込まれる構造となっているため、浴槽２の下面側に排水配管が配置されることはなく、浴槽２の底部側の下面と浴槽設置部１１の上面間の距離Ｌ２を小さくすることができる。このため、防水床パン１の洗い場部１２の上面を浴槽設置部１１の上面より大きく上げなくても、浴槽２の上面２０ａと洗い場部１２の上面間の距離（以下、またぎ高さＬ３という）を小さくすることができ、洗い場部１２の上面と建築基部Ｋの上面間の距離Ｌ４も小さくできる。したがって、この排水路構造では、図１で示されるように、ドア枠Ｗのしきい部上面Ｗ１と脱衣室Ｄの床面Ｄ１間の距離Ｌ５を小さくでき、歩行機能が衰えた高齢者であっても、浴室Ｙ内での入浴や浴室Ｙへの出入りが容易にできる。
【００２８】
また、この排水路構造では、浴槽設置部１１側の漏水の処理を行なう集水部５が、浴槽２の側方のエプロン部３に近い位置に配置されているため、エプロン部３を取り外すことにより、集水部５周りの掃除も容易になすことができる。すなわち、集水部５の目皿５１には、漏水中に含まれる髪の毛等の異物がキャッチされるため、目皿５１の清掃が必要となるが、この作業が容易に行なえるようになるとともに、異物等に起因して、フロート板５２の動きが不充分になった場合に、フロート板５２周りの清掃が必要になるが、この作業が容易に行なえるようになる。
【００２９】
さらに、この排水路構造では、浴槽２中の排水が防水床パン１の浴槽設置部１１上に排水されることがないため、この浴槽設置部１１に臭気が生じることもない。この場合、漏水は浴槽設置部１１上を流れるが、量が僅かなため、この漏水によって浴槽設置部１１に臭気が生じることはほとんどない。
【００３０】
【発明の効果】
この発明の請求項１記載の発明によれば、入浴が容易で、浴室に対する出入りも容易にできるとともに、防水床パンの浴槽設置部側からの臭気の発生を防止でき、かつ、浴槽設置部上の排水の処理も容易に行なうことができる。
【図面の簡単な説明】
【図１】この発明の一実施の形態に係る浴室の排水路構造を示す断面図である。
【図２】浴室の防水床パン周りの平面図である。
【図３】図１で示される排水路構造の浴槽下部や排水孔部周りの拡大断面図である。
【図４】図１で示される排水路構造の集水部周りの拡大断面図である。
【図５】図１で示される排水路構造の排水トラップ周りの拡大断面図である。
【図６】従来の浴室の排水路構造を示す図である。
【符号の説明】
１    防水床パン
２    浴槽
４    排水孔部
５    集水部
６    排水トラップ
７    排水路
１１    浴槽設置部
１２    洗い場部
２１    排水ノズル（排水部）
【図１】
0003580006.tif 000002
【図２】
0003580006.tif 000003
【図３】
0003580006.tif 000004
【図４】
0003580006.tif 000005
【図５】
0003580006.tif 000006
【図６】
0003580006.tif 000007